(57)【特許請求の範囲】
【請求項１】
エンジン本体(１)に排気処理装置(４)を支持させ、エンジン本体(１)と排気処理装置(４)とを排気管(１３)を介して連通させた、排気処理装置付きエンジンにおいて、
排気処理装置(４)のケーシングを相互に分離可能な複数のケーシング部分(５)(６)(７)で構成し、各ケーシング部分(５)(６)(７)の端部に連結フランジ(８)(９)(１０)(１１)を設け、この連結フランジ(８)(９)(１０)(１１)同士の連結で各ケーシング部分(５)(６)(７)を連結し、
エンジン本体(１)に上記連結フランジ(８)(９)(１０)(１１)を介して排気処理装置(４)を支持させ、
排気処理装置(４)にＤＰＦ(１７)を収容し、排気処理装置(４)のケーシングをＤＰＦ収容ケーシング部分(５)と排気入口側ケーシング部分(６)と排気出口側ケーシング部分(７)とで構成し、
ＤＰＦ収容ケーシング部分(５)の両端に排気入口側ケーシング部分(６)と排気出口側ケーシング部分(７)とをそれぞれ分離可能に連結させ、
ＤＰＦ収容ケーシング部分(５)と排気入口側ケーシング部分(６)の各連結フランジ(８)(１０)の間に環状スペーサ(３９)を挟み、環状スペーサ(３９)内にＤＰＦ入口側空間(４０)を設け、
環状スペーサ(３９)にセンサ取付孔(４１)を設け、センサ取付孔(４１)からＤＰＦ入口側空間(４０)に向けて排気用のセンサ(４２)を挿入することができるようにした、ことを特徴とする排気処理装置付きエンジン。
【請求項２】
請求項１に記載した排気処理装置付きエンジンにおいて、
ＤＰＦ収容ケーシング部分(５)と排気入口側ケーシング部分(６)の重なる連結フランジ(８)(１０)にその周方向に等しい離間角度で複数の被締結部(８ａ)(１０ａ)を配置し、
環状スペーサ(３９)にその周方向に上記離間角度で複数の被締結部(３９ａ)を配置し、
環状スペーサ(３９)の姿勢を上記離間角度単位で周方向にずらし、環状スペーサ(３９)の被締結部(３９ａ)を上記連結フランジ(８)(１０)の被締結部(８ａ)(１０ａ)に合わせて、フランジ連結用締結具(４３)で上記連結フランジ(８)(１０)の被締結部(８ａ)(１０ａ)と環状スペーサ(３９)の被締結部(３９ａ)とを共締めすることにより、
環状スペーサ(３９)の周方向の姿勢を変更して、センサ取付孔(４１)の位置と姿勢とを変更することができるようにした、ことを特徴とする排気処理装置付きエンジン。
【請求項３】
請求項１または請求項２に記載した排気処理装置付きエンジンにおいて、
排気入口側ケーシング部分(６)と排気出口側ケーシング部分(７)の連結フランジ(１０)(１１)にＤＰＦ収容ケーシング部分(５)の連結フランジ(８)(９)を重ね、排気入口側ケーシング部分(６)と排気出口側ケーシング部分(７)の連結フランジ(１０)(１１)にＤＰＦ収容ケーシング部分(５)の連結フランジ(８)(９)よりも径方向外側に突出する支持用突出部(３２)(３３)を形成し、この支持用突出部(３２)(３３)を介して排気処理装置(４)をエンジン本体(１)に支持させ、
排気入口側ケーシング部分(６)と排気出口側ケーシング部分(７)とをエンジン本体(１)に支持させたまま、排気入口側ケーシング部分(６)と排気出口側ケーシング部分(７)の間からＤＰＦ収容ケーシング部分(５)を抜き取ることができるようにした、ことを特徴とする排気処理装置付きエンジン。
【請求項４】
請求項３に記載した排気処理装置付きエンジンにおいて、
ＤＰＦ収容ケーシング部分(５)の連結フランジ(８)(９)に排気入口側ケーシング部分(６)と排気出口側ケーシング部分(７)の連結フランジ(１０)(１１)よりも径方向外側に突出する吊り上げ用突出部(３４)(３５)を設け、この吊り上げ用突出部(３４)(３５)にＤＰＦ収容ケーシング部分(５)の吊り上げ用係止部(３６)(３７)を設けた、ことを特徴とする排気処理装置付きエンジン。
【請求項５】
請求項１から請求項４のいずれかに記載した排気処理装置付きエンジンにおいて、
支持ブラケット(１２ｂ)に上方が開口したフランジ嵌合凹部(３８ｂ)を設け、ＤＰＦ収容ケーシング部分(５)と排気出口側ケーシング部分(７)の重なる連結フランジ(９)(１１)の少なくとも一方の下縁部をフランジ嵌合凹部(３８ｂ)に嵌合させた、ことを特徴とする排気処理装置付きエンジン。
【請求項６】
請求項１から請求項５のいずれかに記載した排気処理装置付きエンジンにおいて、
排気出口側ケーシング部分(７)の周壁に排気圧センサ(４４)の排気圧導入パイプ(４５)を取り付けるパイプ取付用ボス(４６)を設け、このパイプ取付用ボス(４６)のボス孔(４７)を外側に向かって上向きとなるようにした、ことを特徴とする排気処理装置付きエンジン
【請求項７】
請求項１から請求項６のいずれかに記載した排気処理装置付きエンジンにおいて、
排気入口側ケーシング部分(６)に排気導入管(４８)を設け、
ＤＰＦ収容ケーシング部分(５)と排気入口側ケーシング部分(６)の重なる連結フランジ(８)(１０)にその周方向に等しい離間角度で複数の被締結部(８ａ)(１０ａ)を配置し、
排気入口側ケーシング部分(６)を上記離間角度単位で周方向にずらし、ＤＰＦ収容ケーシング部分(５)の連結フランジ(８)の被締結部(８ａ)に、排気入口側ケーシング部分(６)の連結フランジ(１０)の被締結部(１０ａ)を合わせて、フランジ連結用締結具(４３)で締結することにより、
排気入口側ケーシング部分(６)の周方向の姿勢を変更して、排気入口管(４８)の入口(４８ａ)の向きを変更することができるようにした、ことを特徴とする排気処理装置付きエンジン。
【請求項８】
請求項１から請求項７のいずれかに記載した排気処理装置付きエンジンにおいて、
排気出口側ケーシング部分(７)に排気出口管(４９)を設け、排気出口側ケーシング部分(７)とＤＰＦ収容ケーシング部分(５)の重なる連結フランジ(１１)(９)にその周方向に等しい離間角度で複数の被締結部(１１ａ)(９ａ)を配置し、
排気出口側ケーシング部分(７)を上記離間角度単位で周方向にずらし、ＤＰＦ収容ケーシング部分(５)の連結フランジ(９)の被締結部(９ａ)に、排気出口側ケーシング部分(７)の連結フランジ(１１)の被締結部(１１ａ)を合わせて、フランジ連結用締結具(５０)で締結することにより、
排気出口側ケーシング部分(７)の周方向の姿勢を変更して、排気出口管(４９)の出口(４９ａ)の向きを変更することができるようにした、ことを特徴とする排気処理装置付きエンジン。
【請求項９】
請求項１から請求項８のいずれかに記載した排気処理装置付きエンジンにおいて、
相互に離れた複数個所の連結フランジ(８)(９)(１０)(１１)を介して排気処理装置(４)をエンジン本体(１)に支持させた、ことを特徴とする排気処理装置付きエンジン。
【請求項１０】
請求項１から請求項９のいずれかに記載した排気処理装置付きエンジンにおいて、
エンジン本体(１)に支持ステー(２)(３)を取り付け、連結フランジ(８)(９)(１０)(１１)に支持ブラケット(１２)を付設し、支持ブラケット(１２)を支持ステー(２)(３)上に載置し、
排気処理装置(４)の荷重を支持ブラケット(１２)を介して支持ステー(２)(３)で支え、支持ブラケット(１２)をブラケット取付用締結具(１４)で支持ステー(２)(３)に取り付けた、ことを特徴とする排気処理装置付きエンジン。
【請求項１１】
請求項１０に記載した排気処理装置付きエンジンにおいて、
クランク軸中心軸線(１６)の伸びる方向を前後方向、クランク軸中心軸線(１６)と直交するエンジン本体(１)の幅方向を左右方向とし、
支持ステー(２)(３)を前後の支持ステー(２)(３)で構成し、この前後の支持ステー(２)(３)をエンジン本体(１)の前後側にそれぞれ取り付け、支持ブラケット(１２)を前後方向に長く形成し、この支持ブラケット(１２)を前後の支持ステー(２)(３)間に架設し、排気処理装置(４)を左右方向に長い姿勢で前後の支持ステー(２)(３)を介してエンジン本体(１)に支持させた、ことを特徴とする排気処理装置付きエンジン。
【請求項１２】
請求項１１に記載した排気処理装置付きエンジンにおいて、
支持ブラケット(１２)を左右側の支持ブラケット(１２ａ)(１２ｂ)で構成し、左右の連結フランジ(８)(９)(１０)(１１)に左右の支持ブラケット(１２ａ)(１２ｂ)をそれぞれ付設し、
左右の支持ブラケット(１２ａ)(１２ｂ)の前後端部を前後の支持ステー(２)(３)上に載置して、左右のブラケット取付用締結具(１４ａ)(１４ｂ)で取り付けた、ことを特徴とする排気処理装置付きエンジン。
【請求項１３】
請求項１０から請求項１２のいずれかに記載した排気処理装置付きエンジンにおいて、
ブラケット付設用締結具(２５)の締結で連結フランジ(１０)(１１)に支持ブラケット(１２ａ)(１２ｂ)を付設し、連結フランジ(１０)(１１)と支持ブラケット(１２ａ)(１２ｂ)のうち、少なくとも一方にブラケット付設用締結具(２５)の位置調節孔(２６)を設け、この位置調節孔(２６)でブラケット付設用締結具(２５)の少なくとも上下方向の位置を調節することができるようにした、ことを特徴とする排気処理装置付きエンジン。
【請求項１４】
請求項１３に記載した排気処理装置付きエンジンにおいて、
ブラケット付設用締結具(２５)の位置調節孔(２６)を大径孔(２７)で構成し、連結フランジ(１０)(１１)と支持ブラケット(１２)のいずれか一方に大径孔(２７)を、他方に小径孔(２８)をそれぞれ設け、大径孔(２７)の内径はブラケット付設用締結具(２５)の挿通部分がその挿通方向と直交する向きに移動調節できる大きさに設定し、小径孔(２８)の内径はブラケット付設用締結具(２５)の挿通部分がその挿通方向と直交する向きに移動調節できない大きさに設定し、
クランク軸中心軸線(１６)の伸びる方向を前後方向、クランク軸中心軸線(１６)と直交するエンジン本体(１)の幅方向を左右方向として、
大径孔(２７)と小径孔(２８)とを左右に重ね、これらの重なった位置にブラケット付設用締結具(２５)を挿通させた、ことを特徴とする排気処理装置付きエンジン。
【請求項１５】
請求項１０から請求項１４のいずれかに記載した排気処理装置付きエンジンにおいて、
クランク軸中心軸線(１６)の伸びる方向を前後方向、クランク軸中心軸線(１６)と直交するエンジン本体(１)の幅方向を左右方向として、
支持ブラケット(１２ａ)(１２ｂ)を支持ステー(２)(３)にブラケット取付用締結具(１４ａ)(１４ｂ)で取り付け、支持ブラケット(１２ａ)(１２ｂ)と支持ステー(２)(３)の少なくとも一方にブラケット取付用締結具(１４ａ)(１４ｂ)の位置調節孔(２９)を設け、この位置調節孔(２９)でブラケット取付用締結具(１４ａ)(１４ｂ)の少なくとも前後方向と左右方向の位置を調節できるようにした、ことを特徴とする排気処理装置付きエンジン。
【請求項１６】
請求項１５に記載した排気処理装置付きエンジンにおいて、
ブラケット取付用締結具(１４ａ)(１４ｂ)の位置調節孔(２９)を前後方向長孔(３０)と左右方向長孔(３１)とで構成し、支持ステー(２)(３)と支持ブラケット(１２ａ)(１２ｂ)のいずれか一方に前後方向長孔(３０)を、他方に左右方向長孔(３１)をそれぞれ設け、
前後方向長孔(３０)と左右方向長孔(３１)とを交差状に上下に重ね、これらの交差位置にブラケット取付用締結具(１４ａ)(１４ｂ)を挿通させた、ことを特徴とする排気処理装置付きエンジン。
【請求項１７】
請求項１から請求項１６のいずれかに記載した排気処理装置付きエンジンにおいて、
排気処理装置(４)にＤＰＦ(１７)を収容するに当たり、
クランク軸中心軸線(１６)の伸びる方向を前後方向として、エンジン本体(１)の前部にエンジン冷却ファン(１８)を配置し、
シリンダヘッド(１９)の上部に組み付けたヘッドカバー(２０)の上方で、エンジン冷却ファン(１８)の上端部(２１)よりも高い位置に排気処理装置(４)を配置した、ことを特徴とする排気処理装置付きエンジン。
【請求項１８】
請求項１から請求項１７のいずれかに記載した排気処理装置付きエンジンにおいて、
エンジン本体(１)側のエンジン排気出口フランジ(２２)上に排気処理装置(４)の排気入口フランジ(２３)を載置した、ことを特徴とする排気処理装置付きエンジン。
【請求項１９】
請求項１から請求項４のいずれかに記載した排気処理装置付きエンジンにおいて、
排気処理装置(４)にＤＰＦ(１７)を収容し、排気処理装置(４)のケーシングをＤＰＦ収容ケーシング部分(５)と排気入口側ケーシング部分(６)と排気出口側ケーシング部分(７)とで構成し、
クランク軸中心軸線(１６)の伸びる方向を前後方向、クランク軸中心軸線(１６)と直交するエンジン本体(１)の幅方向を左右方向として、
エンジン本体(１)の前部にエンジン冷却ファン(２１)を配置し、
排気処理装置(３)を左右方向に長い姿勢にし、シリンダヘッド(１９)の上部に組み付けたヘッドカバー(２０)の真後で、フライホイールハウジング(５１)の後上方に、ＤＰＦ収容ケーシング部分(５)を配置した、ことを特徴とする排気処理装置付きエンジン。
【発明の詳細な説明】
【技術分野】
【０００１】
本発明は、排気処理装置付きエンジンに関し、詳しくは、エンジン本体の振動で排気管が損傷するのを防止することができる排気処理装置付きエンジンに関する。
【背景技術】
【０００２】
従来、排気処理装置付きエンジンとして、エンジン本体に排気処理装置を支持させ、エンジン本体と排気処理装置とを排気管で連通させたものがある(例えば、特許文献１参照)。
この種の排気処理装置付きエンジンによれば、排気処理装置がエンジン本体と一体化され、エンジン搭載機械への排気処理装置の設置が容易になるという利点がある。
しかし、この従来技術では、エンジン本体に排気処理装置が排気管のみで支持されているため問題がある。
【先行技術文献】
【特許文献】
【０００３】
【特許文献１】特開２００９−１２６０９号公報(図２、４参照)
【発明の概要】
【発明が解決しようとする課題】
【０００４】
《問題》  エンジン本体の振動で排気管が損傷しやすい。
エンジン本体に排気処理装置が排気管のみで支持されているため、エンジン本体の振動で排気処理装置が揺れると、排気管に大きな負担がかかり、排気管が損傷しやすい。
特に、排気処理装置に高重量のＤＰＦや触媒が収容される場合には、その問題が顕著になる。
【０００５】
本発明の課題は、エンジン本体の振動で排気管の損傷を防止することができる排気処理装置付きエンジンを提供することにある。
【課題を解決するための手段】
【０００６】
請求項１に係る発明の発明特定事項は、次の通りである。
図９に例示するように、エンジン本体(１)に排気処理装置(４)を支持させ、エンジン本体(１)と排気処理装置(４)とを排気管(１３)を介して連通させた、排気処理装置付きエンジンにおいて、
図３に例示するように、排気処理装置(４)のケーシングを相互に分離可能な複数のケーシング部分(５)(６)(７)で構成し、各ケーシング部分(５)(６)(７)の端部に連結フランジ(８)(９)(１０)(１１)を設け、この連結フランジ(８)(９)(１０)(１１)同士の連結で各ケーシング部分(５)(６)(７)を連結し、
図８、２８に例示するように、エンジン本体(１)に上記連結フランジ(８)(９)(１０)(１１)を介して排気処理装置(４)を支持させ、
排気処理装置(４)にＤＰＦ(１７)を収容し、排気処理装置(４)のケーシングをＤＰＦ収容ケーシング部分(５)と排気入口側ケーシング部分(６)と排気出口側ケーシング部分(７)とで構成し、
ＤＰＦ収容ケーシング部分(５)の両端に排気入口側ケーシング部分(６)と排気出口側ケーシング部分(７)とをそれぞれ分離可能に連結させ、
ＤＰＦ収容ケーシング部分(５)と排気入口側ケーシング部分(６)の各連結フランジ(８)(１０)の間に環状スペーサ(３９)を挟み、環状スペーサ(３９)内にＤＰＦ入口側空間(４０)を設け、
環状スペーサ(３９)にセンサ取付孔(４１)を設け、センサ取付孔(４１)からＤＰＦ入口側空間(４０)に向けて排気用のセンサ(４２)を挿入することができるようにした、ことを特徴とする排気処理装置付きエンジン。
【発明の効果】
【０００７】
(請求項１に係る発明)
請求項１に係る発明は、次の効果を奏する。
《効果》  エンジン本体の振動で排気管が損傷するのを防止することができる。
図８，２８に例示するように、エンジン本体(１)に上記連結フランジ(８)(９)(１０)(１１)を介して排気処理装置(４)を支持させたので、排気処理装置(４)が剛性の高い連結フランジ(８)(９)(１０)(１１)を介してエンジン本体(１)に強固に支持され、エンジン本体(１)の振動で排気処理装置(４)が揺れても、排気管(１３)にかかる負担が軽減され、エンジン本体(１)の振動で排気管(１３)が損傷するのを防止することができる。
【０００８】
《効果》  ＤＰＦのメンテナンスが可能になる。
図３，図２８に例示するように、ＤＰＦ収容ケーシング部分(５)の両端に排気入口側ケーシング部分(６)と排気出口側ケーシング部分(７)とをそれぞれ分離可能に連結させたので、ＤＰＦ収容ケーシング部分(５)から排気入口側ケーシング部分(６)と排気出口ケーシング部分(７)とをそれぞれ分離させ、ＤＰＦ(１７)の両端部を露出させることにより、ＤＰＦ(１７)に堆積したアッシュの洗浄等のＤＰＦ(１７)のメンテナンスが可能になる。
【０００９】
《効果》  排気処理装置を小型化することができる。
図３に例示するように、ＤＰＦ収容ケーシング部分(５)と排気入口側ケーシング部分(６)の各連結フランジ(８)(１０)の間に環状スペーサ(３９)を挟み、環状スペーサ(３９)内にＤＰＦ入口側空間(４０)を設け、図４(Ｂ)，２８に例示するように、環状スペーサ(３９)にセンサ取付孔(４１)を設け、センサ取付孔(４１)からＤＰＦ入口側空間(４０)に向けて排気用のセンサ(４２)を挿入することができるようにしたので、ＤＰＦ入口側空間(４０)を狭くすることができ、排気処理装置(４)を小型化することができる。
これに対し、ＤＰＦ収容ケーシング部分の周壁にセンサ取付ボスを溶接で取り付ける場合、センサ取付ボスの周縁部を全周溶接する必要があり、ＤＰＦ収容ケーシング部分の連結フランジとセンサ取付ボスとの間に溶接トーチを進入させるスペースをあけておく必要があり、連結フランジとセンサとの距離が広がり、排気入口側空間を広くせざるを得ず、排気処理装置が大型化する問題が生じていた。
【００１０】
(請求項２に係る発明)
請求項２に係る発明は、請求項１に係る発明の効果に加え、次の効果を奏する。
《効果》  排気用のセンサの配置と姿勢を自由に選択することができる。
図１(Ａ)，２８に例示するように、環状スペーサ(３９)の周方向の姿勢を変更して、センサ取付孔(４１)の位置と姿勢とを変更することができるようにしたので、排気用のセンサ(４２)の配置と姿勢とを自由に選択することができる。
【００１１】
(請求項３に係る発明)
請求項３に係る発明は、請求項１または請求項２に係る発明の効果に加え、次の効果を奏する。
《効果》  ＤＰＦのメンテナンスが容易になる。
図１(Ａ)，２８に例示するように、排気入口側ケーシング部分(６)と排気出口側ケーシング部分(７)とをエンジン本体(１)に支持させたまま、排気入口側ケーシング部分(６)と排気出口側ケーシング部分(７)の間からＤＰＦ収容ケーシング部分(５)を抜き取ることができるようにしたので、ＤＰＦ(１７)に堆積したアッシュの洗浄等のＤＰＦ(１７)のメンテナンスが容易になる。
【００１２】
(請求項４に係る発明)
請求項４に係る発明は、請求項３に係る発明の効果に加え、次の効果を奏する。
《効果》  ＤＰＦのメンテナンスが容易になる。
図１(Ａ)，２８に例示するように、吊り上げ用突出部(３４)(３５)にＤＰＦ収容ケーシング部分(５)の吊り上げ用係止部(３６)(３７)を設けたので、ＤＰＦ収容ケーシング部分(５)をクレーン等の外部支持装置で簡単に吊り上げることができ、ＤＰＦ(１７)のメンテナンスが容易になる。
【００１３】
(請求項５に係る発明)
請求項５に係る発明は、請求項１から請求項４のいずれかに係る発明の効果に加え、次の効果を奏する。
《効果》  排気処理装置と支持ブラケットとの位置合わせを容易に行うことができる。
図２(Ａ)(Ｂ)に例示するように、支持ブラケット(１２ｂ)に上方が開口したフランジ嵌合凹部(３８ｂ)を設け、ＤＰＦ収容ケーシング部分(５)と排気出口側ケーシング部分(７)の重なる連結フランジ(９)(１１)の少なくとも一方の下縁部をフランジ嵌合凹部(３８ｂ)に嵌合させたので、排気処理装置(４)と支持ブラケット(１２)との位置合わせを容易に行うことができる。
【００１４】
(請求項６に係る発明)
請求項６に係る発明は、請求項１から請求項５のいずれかに係る発明の効果に加え、次の効果を奏する。
《効果》  排気圧センサの誤検出を防止することができる。
図６(Ｃ)，２８に例示するように、排気出口側ケーシング部分(７)の周壁に排気圧センサ(４４)の排気圧導入パイプ(４５)を取り付けるパイプ取付用ボス(４６)を設け、このパイプ取付用ボス(４６)のボス孔(４７)を外側に向かって上向きとなるようにしたので、排気出口側ケーシング部分(７)内に溜まった凝縮水が排気圧センサ(４４)の圧力導入パイプ(４５)に進入するのを防止し、これに起因する排気圧センサ(４４)の誤検出を防止することができる。
【００１５】
(請求項７に係る発明)
請求項７に係る発明は、請求項１から請求項６のいずれかに係る発明の効果に加え、次の効果を奏する。
《効果》  排気入口管の上流側にある排気経路の配置を自由に選択することができる。
図４(Ｃ) ，２８に例示するように、排気入口側ケーシング部分(６)の周方向の姿勢を変更して、排気入口管(４８)の入口(４８ａ)の向きを変更することができるようにしたので、排気入口管(４８)の上流側にある排気経路の配置を自由に選択することができる。
【００１６】
(請求項８に係る発明)
請求項８に係る発明は、請求項１から請求項７のいずれかに係る発明の効果に加え、次の効果を奏する。
《効果》  排気出口管の下流側にある排気経路の配置を自由に選択することができる。
図５(Ａ)(Ｂ) ，２８に例示するように、排気出口側ケーシング部分(７)の周方向の姿勢を変更して、排気出口管(４９)の出口(４９ａ)の向きを変更することができるようにしたので、排気出口管(４９)の下流側にある排気経路の配置を自由に選択することができる。
【００１７】
(請求項９に係る発明)
請求項９に係る発明は、請求項１から請求項８のいずれかに係る発明の効果に加え、次の効果を奏する。
《効果》  エンジン本体の振動で排気処理装置の連結フランジが損傷するのを防止することができる。
図８，２８に例示するように、相互に離れた複数個所の連結フランジ(８)(９)(１０)(１１)を介して排気処理装置(４)をエンジン本体(１)に支持させたので、エンジン本体(１)の振動で排気処理装置(３)が揺れても、各連結フランジ(８)(９)(１０)(１１)が受ける負担が分散され、エンジン本体(１)の振動で排気処理装置(４)の連結フランジ(８)(９)(１０)(１１)が損傷するのを防止することができる。
【００１８】
(請求項１０に係る発明)
請求項１０に係る発明は、請求項１から請求項９のいずれかに係る発明の効果に加え、次の効果を奏する。
《効果》  支持ブラケットを支持ステーに取り付ける作業を容易に行うことができる。
図８に例示するように、排気処理装置(４)の荷重を支持ブラケット(１２)を介して支持ステー(２)(３)で支え、支持ブラケット(１２)をブラケット取付用締結具(１４)で支持ステー(２)(３)に取り付けたので、支持ブラケット(１２)を支持ステー(２)(３)に取り付ける作業中、クレーン等の外部支持装置で排気処理装置(４)の荷重を支えておく必要がなく、支持ブラケット(１２)を支持ステー(２)(３)に取り付ける作業を容易に行うことができる。
【００１９】
(請求項１１に係る発明)
請求項１１に係る発明は、請求項１０に係る発明の効果に加え、次の効果を奏する。
《効果》  排気処理装置の前後方向の配置を自由に設定することができる。
図８に例示するように、支持ステー(２)(３)を前後の支持ステー(２)(３)で構成し、この前後の支持ステー(２)(３)をエンジン本体(１)の前後側にそれぞれ取り付け、支持ブラケット(１２)を前後方向に長く形成し、この支持ブラケット(１２)を前後の支持ステー(２)(３)間に架設し、排気処理装置(４)を左右方向に長い姿勢で前後の支持ステー(２)(３)を介してエンジン本体(１)に支持させたので、排気処理装置(４)の前後方向の配置を自由に設定することができる。
【００２０】
(請求項１２に係る発明)
請求項１２に係る発明は、請求項１１に係る発明の効果に加え、次の効果を奏する。
《効果》  排気処理装置の揺れによる連結フランジの損傷を防止することができる。
図１(Ａ)に例示するように、左右側の支持ブラケット(１２ａ)(１２ｂ)の前後端部を前後の支持ステー(２)(３)上に載置して、左右のブラケット取付用締結具(１４ａ)(１４ｂ)で取り付けたので、左右側の支持ブラケット(１２ａ)(１２ｂ)と前後の支持ステー(２)(３)で剛性の高い堅牢な枠構造を構成することができ、エンジン本体(１)の振動による排気処理装置(４)の大きな揺れが抑制され、排気処理装置(４)の揺れによる連結フランジ(８)(９)(１０)(１１)の損傷を防止することができる。
【００２１】
(請求項１３に係る発明)
請求項１３に係る発明は、請求項１０から請求項１２のいずれかに係る発明の効果に加え、次の効果を奏する。
《効果》  連結フランジに対する支持ブラケットの付設を支障無く行うことができる。
図１(Ａ)(Ｂ)に例示するように、ブラケット付設用締結具(２５)の締結で連結フランジ(１０)(１１)に支持ブラケット(１２ａ)(１２ｂ)を付設し、連結フランジ(１０)(１１)と支持ブラケット(１２ａ)(１２ｂ)のうち、少なくとも一方にブラケット付設用締結具(２５)の位置調節孔(２６)を設け、この位置調節孔(２６)でブラケット付設用締結具(２５)の少なくとも上下方向の位置を調節することができるようにしたので、連結フランジ(１０)(１１)と支持ブラケット(１２ａ)(１２ｂ)との相互の位置が上下方向にずれていても、位置調節孔(２６)でブラケット付設用締結具(２５)の位置を上下に調節して、連結フランジ(１０)(１１)に対する支持ブラケット(１２ａ)(１２ｂ)の付設を支障無く行うことができる。
【００２２】
(請求項１４に係る発明)
請求項１４に係る発明は、請求項１３に係る発明の効果に加え、次の効果を奏する。
《効果》  連結フランジに対する支持ブラケットの付設作業が容易になる。
図１(Ｂ)に例示するように、エンジン本体(１)の幅方向を左右方向として、大径孔(２７)と小径孔(２８)とを左右に重ね、これらの重なった位置にブラケット付設用締結具(２５)を挿通させたので、連結フランジ(１０)(１１)と支持ブラケット(１２ａ)(１２ｂ)とを位置合わせすると、ブラケット付設用締結具(２５)が自然に適正位置に位置合わせされ、ブラケット付設用締結具(２５)を調節操作する必要がなく、連結フランジ(１０)(１１)に対する支持ブラケット(１２ａ)(１２ｂ)の付設作業が容易になる。
【００２３】
(請求項１５に係る発明)
請求項１５に係る発明は、請求項１０から請求項１４のいずれかに係る発明の効果に加え、次の効果を奏する。
《効果》  支持ステーに対する支持ブラケットの取り付けを支障無く行うことができる。
図１(Ａ)(Ｃ)に例示するように、支持ブラケット(１２ａ)(１２ｂ)を支持ステー(２)(３)にブラケット取付用締結具(１４ａ)(１４ｂ)で取り付け、支持ブラケット(１２ａ)(１２ｂ)と支持ステー(２)(３)の少なくとも一方にブラケット取付用締結具(１４ａ)(１４ｂ)の位置調節孔(２９)を設け、この位置調節孔(２９)でブラケット取付用締結具(１４ａ)(１４ｂ)の少なくとも前後方向と左右方向の位置を調節できるようにしたので、支持ステー(２)(３)と支持ブラケット(１２ａ)(１２ｂ)との相互の位置が前後方向や左右方向にずれていても、位置調節孔(２９)でブラケット取付用締結具(１４ａ)(１４ｂ)の位置を調節でき、支持ステー(２)(３)に対する支持ブラケット(１２ａ)(１２ｂ)の取り付けを支障無く行うことができる。
【００２４】
(請求項１６に係る発明)
請求項１６に係る発明は、請求項１５に係る発明の効果に加え、次の効果を奏する。
《効果》  支持ステーに対する支持ブラケットの取り付け作業が容易になる。
図１(Ｃ)に例示するように、前後方向長孔(３０)と左右方向長孔(３１)とを交差状に上下に重ね、これらの交差位置にブラケット取付用締結具(１４ａ)(１４ｂ)を挿通させたので、支持ブラケット(１２ａ)(１２ｂ)と支持ステー(２)(３)を位置合わせすると、ブラケット取付用締結具(１４)が自然に適正位置に位置合わせされ、支持ステー(２)(３)に対する支持ブラケット(１２ａ)(１２ｂ)の取り付け作業が容易になる。
【００２５】
(請求項１７に係る発明)
請求項１７に係る発明は、請求項１から請求項１６のいずれかに係る発明の効果に加え、次の効果を奏する。
《効果》  ＤＰＦのメンテナンスを容易に行うことができる。
図３に例示するように、排気処理装置(４)にＤＰＦ(１７)を収容するに当たり、図１０に例示するように、シリンダヘッド(１９)の上部に組み付けたヘッドカバー(２０)の上方に排気処理装置(４)を配置したので、ＤＰＦ(１７)のメンテナンスに際し、排気処理装置(４)やＤＰＦ(１７)をエンジン本体(１)の部品と干渉することなく、エンジン本体(１)の上方に取り出すことができ、ＤＰＦ(１７)のメンテナンスを容易に行うことができる。
【００２６】
《効果》  ＤＰＦの再生効率を高く維持することができる。
図１０に例示するように、シリンダヘッド(１９)に組み付けたヘッドカバー(２０)の上方で、エンジン冷却ファン(１８)の上端部(２１)よりも高い位置に排気処理装置(４)を配置したので、ＤＰＦ(１７)がエンジン冷却風で冷却されにくく、ＤＰＦ(１７)の再生効率を高く維持することができる。
【００２７】
(請求項１８に係る発明)
請求項１８に係る発明は、請求項１から請求項１７のいずれかに係る発明の効果に加え、次の効果を奏する。
《効果》  排気入口フランジをエンジン排気出口フランジに取り付ける作業を容易に行うことができる。
図９に例示するように、エンジン本体(１)側のエンジン排気出口フランジ(２２)上に排気処理装置(４)の排気入口フランジ(２３)を載置したので、排気入口フランジ(２３)をエンジン排気出口フランジ(２２)に取り付ける作業中、クレーン等の外部支持装置で排気入口フランジ(２３)側の荷重を支えておく必要がなく、排気入口フランジ(２３)をエンジン排気出口フランジ(２２)に取り付ける作業を容易に行うことができる。
【００２８】
(請求項１９に係る発明)
請求項１９に係る発明は、請求項１から請求項４のいずれかに係る発明の効果に加え、次の効果を奏する。
《効果》  ＤＰＦのメンテナンスを容易に行うことができる。
図２８，２９に例示するように、排気処理装置(３)を左右方向に長い姿勢にし、シリンダヘッド(１９)に組み付けたヘッドカバー(２０)の真後で、フライホイールハウジング(５１)の後上方に、ＤＰＦ収容ケーシング部分(５)を配置したので、ＤＰＦ(１７)のメンテナンスに際し、排気処理装置(４)やＤＰＦ収容ケーシング部分(５)をエンジン本体(１)の部品と干渉することなく、エンジン本体(１)の上方に取り出すことができ、ＤＰＦ(１７)のメンテナンスを容易に行うことができる。
【００２９】
《効果》  エンジンの全高を低く抑えることができる。
図２８，２９に例示するように、排気処理装置(３)を左右方向に長い姿勢にし、シリンダヘッド(１９)の上部に組み付けたヘッドカバー(２０)の真後で、フライホイールハウジング(５１)の後上方に、排気処理装置(３)のＤＰＦ収容ケーシング部分(５)を配置したので、エンジンの全高を低く抑えることができる。
【００３０】
《効果》  ＤＰＦの再生効率を高く維持することができる。
図８に例示するように、エンジン本体(１)の前部にエンジン冷却ファン(２１)を配置し、図２８，２９に例示するように、排気処理装置(３)を左右方向に長い姿勢にし、シリンダヘッド(１９)の上部に組み付けたヘッドカバー(２０)の真後で、フライホイールハウジング(５１)の後上方に、排気処理装置(３)のＤＰＦ収容ケーシング部分(５)を配置したので、ＤＰＦ(１７)がエンジン冷却風で冷却されにくく、ＤＰＦ(１７)の再生効率を高く維持することができる。
【図面の簡単な説明】
【００３１】
【図１】図１(Ａ)〜(Ｃ)は本発明の第１実施形態に係る排気処理装置付きエンジンを説明する図で、図１(Ａ)は排気処理装置とその周辺を右前方の上方から見下ろした斜視図、図１(Ｂ)は図１(Ａ)のＢ矢視部分の分解拡大図、図１(Ｃ)は図１(Ａ)のＣ矢視部分の分解拡大図である。
【図２】図２(Ａ)は図１(Ａ)の排気処理装置とその周辺を右側から見た側面図、図２(Ｂ)は図２(Ａ)のＢ−Ｂ線断面図である。
【図３】図２(Ａ)のIII−III線断面図である。
【図４】図４(Ａ)(Ｂ)(Ｃ)は図１(Ａ)の排気処理装置を説明する図で、図４(Ａ)はＤＰＦ収容ケーシング部分を右側から見た縦断側面図、図４(Ｂ)は環状スペーサを右側から見た側面図、図４(Ｃ)は排気入口側ケーシング部分を右側から見た側面図である。
【図５】図５(Ａ)(Ｂ)は図１(Ａ)の排気処理装置を説明する図で、図５(Ａ)は排気出口側ケーシング部分を右側から見た縦断側面図、図４(Ｂ)はＤＰＦ収容ケーシング部分を右側から見た側面図である。
【図６】図６(Ａ)〜(Ｃ)は図１(Ａ)の排気処理装置を説明する図で、図６(Ａ)は排気出口側ケーシング部分の正面図、図６(Ｂ)は図６(Ａ)のＢ−Ｂ線断面図、図６(Ｃ)は図６(Ｂ)のＣ矢視部分の拡大図である。
【００３２】
【図７】図１(Ａ)の排気処理装置の正面図である。
【図８】本発明の第１実施形態に係る排気処理装置付きエンジンを右前方の上方から見下ろした斜視図である。
【図９】エンジンを左前方の上方から見下ろした斜視図である。
【図１０】図８のエンジンを右側から見た側面図である。
【図１１】図８のエンジンを左側から見た側面図である。
【図１２】図８のエンジンの正面図である。
【図１３】図８のエンジンの平面図である。
【００３３】
【図１４】本発明の第１参考形態に係る排気処理装置付きエンジンを右前方の上方から見下ろした斜視図である。
【図１５】図１４のエンジンを左側から見た側面図である。
【図１６】図１４のエンジンの正面図である。
【図１７】図１４のエンジンの平面図である。
【図１８】図１４のエンジンを右側から見た側面図である。
【図１９】図１４のエンジンの背面図である。
【図２０】図１４のエンジンをトラクタに搭載した図である。
【００３４】
【図２１】本発明の第２参考形態に係る排気処理装置付きエンジンを右前方の上方から見下ろした斜視図である
【図２２】図２１のエンジンを左側から見た側面図である。
【図２３】図２１のエンジンの正面図である。
【図２４】図２１のエンジンの平面図である。
【図２５】図２１のエンジンを右側から見た側面図である。
【図２６】図２１のエンジンの背面図である。
【図２７】図２１のエンジンで用いる支持ブラケットの変形例の側面図である。
【００３５】
【図２８】本発明の第２実施形態に係る排気処理装置付きエンジンの後部を右前方の上方から見下ろした斜視図である。
【図２９】図２８のエンジンの後部を右側から見た側面図である。
【図３０】図２８のエンジンの背面図である。
【発明を実施するための形態】
【００３６】
図１〜図３０は本発明の実施形態と参考形態に係る排気処理装置付きエンジンを説明する図で、図１〜図１３は第１実施形態、図１４〜図２０は第２実施形態第１参考形態、図２１〜図２７は第３実施形態第２参考形態、図２８〜図３０は第４実施形態第２実施形態を説明する図である。
各実施形態と参考形態では、ＤＰＦマフラ付きの水冷の立形直列多気筒ディーゼルエンジンについて説明する。
【００３７】
第１実施形態の構成は次の通りである。
図８に示すように、クランク軸中心軸線(１６)の伸びる方向を前後方向、クランク軸中心軸線(１６)と直交するエンジン本体(１)の幅方向を左右方向として、エンジン本体(１)は、シリンダブロック(５２)の上部にシリンダヘッド(１９)を組み付け、シリンダヘッド(１９)の上部にヘッドカバー(２０)を組み付け、シリンダブロック(５２)の下部にオイルパン(５３)を組み付け、シリンダブロック(５２)の前部に冷却水ポンプ(５４)を組み付け、冷却水ポンプ(５４)の前方にエンジン冷却ファン(１８)を配置し、シリンダブロック(５２)の後部にギヤケース(１５)を配置し、ギヤケース(１５)の後部にフライホイールハウジング(５１)を組み付け、シリンダヘッド(１９)の右側に吸気マニホルド(５６)を組み付け、図９に示すように、シリンダヘッド(１９)の左側に排気マニホルド(５５)を組み付けている。
【００３８】
図８に示すように、冷却水ポンプ(５４)の入力軸にエンジン冷却ファン(１８)を取り付け、この冷却水ポンプ(５４)とエンジン冷却ファン(１８)とは、クランク軸からベルト伝動装置を介して駆動される。
エンジン本体(１)は、ＥＧＲ装置(排気ガス再還流システム)とコモンレール式燃料噴射装置とを備えている。ＥＧＲ装置は排気の一部を吸気に還元する。コモンレール式燃料噴射装置は燃料サプライポンプ(５７)で昇圧した燃料をコモンレール(５８)に蓄圧し、電子制御でインジェクタの電磁弁を開閉し、各気筒の燃料噴射時期や燃料噴射量を調節する。
【００３９】
図８に示すように、ＥＧＲ装置は、吸気マニホルド(５６)の上部にＥＧＲ弁ケース(５９)を組み付け、ＥＧＲ弁ケース(５９)をＥＧＲクーラ(６０)を介して排気マニホルド(５５)に連通させて構成している。図１０に示すように、ＥＧＲクーラ(６０)はシリンダヘッド(１９)の真後ろで、フライホイールハウジング(５１)の真上に配置している。
【００４０】
図８に示すように、コモンレール式燃料噴射装置は、吸気マニホルド(５６)の下部にコモンレール(５８)を配置し、燃料サプライポンプ(５７)からコモンレール(５８)に燃料を圧送し、コモンレール(５８)で蓄圧した燃料を高圧管(６１)を介してインジェクタに供給するようになっている。燃料サプライポンプ(５７)はシリンダブロック(５２)の右側方でギヤケース(１５)の前面に取り付けている。
【００４１】
図９に示すように、エンジン本体(１)に排気処理装置(４)を支持させ、エンジン本体(１)と排気処理装置(４)とを排気管(１３)を介して連通させている。
排気マニホルド(５５)の上部に過給機(６２)を組み付け、過給機(６２)の排気タービン(６３)の排気出口にエルボ形の排気管(１３)を接続している。
【００４２】
図３に示すように、排気処理装置(４)の内部にＤＯＣ(６４)とＤＰＦ(１７)とを収容している。ＤＯＣ(６４)は上流側に、ＤＰＦ(１７)は下流側にそれぞれ配置している。
ＤＯＣはディーゼル酸化触媒の略称、ＤＰＦはディーゼル・バティキュレート・フィルタの略称である。
排気処理装置(４)では、ＤＰＦ(１７)で排気中に含まれるＰＭ(粒子状物質)を捕捉するとともに、燃焼室から吹き抜けた未燃燃料や排気経路中に噴射した未燃燃料をＤＯＣ(６４)で酸化させ、その酸化熱で排気の温度を上昇させ、ＤＰＦ(１７)に堆積したＰＭを焼却して、ＤＰＦ(１７)の再生を図るようになっている。
この実施形態では、排気処理装置(４)にＤＰＦマフラを用いたが、排気処理装置(４)は、ＤＰＦを収容していない排気マフラや触媒コンバータであってもよい。
【００４３】
図３に示すように、排気処理装置(４)のケーシングを相互に分離可能な複数のケーシング部分(５)(６)(７)で構成し、各ケーシング部分(５)(６)(７)の端部に連結フランジ(８)(９)(１０)(１１)を設け、連結フランジ(８)(９)(１０)(１１)同士の連結で各ケーシング部分(５)(６)(７)を連結している。
図８に示すように、エンジン本体(１)に上記連結フランジ(８)(９)(１０)(１１)を介して排気処理装置(４)を支持させている。
【００４４】
図３に示すように、排気処理装置(４)のケーシングは、３個のケーシング部分、すなわち、ＤＰＦ収容ケーシング部分(５)と排気入口側ケーシング部分(６)と排気出口側ケーシング部分(７)とで構成している。
ＤＰＦ収容ケーシング部分(５)にはＤＰＦ(１７)を収容し、排気入口側ケーシング部分(６)にはＤＯＣ(６４)を収容している。
ＤＰＦ収容ケーシング部分(５)の両端部にはＤＰＦ入口側連結フランジ(８)とＤＰＦ出口側連結フランジ(９)とをそれぞれ設け、排気入口側ケーシング部分(６)のＤＰＦ入口側端部には排気入口側連結フランジ(１０)を、排気出口側ケーシング部分(７)のＤＰＦ出口側端部には排気出口側連結フランジ(１１)をそれぞれ設けている。
【００４５】
ＤＰＦ入口側連結フランジ(８)と排気入口側連結フランジ(１０)の間には、環状スペーサ(３９)を挟み、両連結フランジ(８)(１０)と環状スペーサ(３９)とを重ねて、ＤＰＦ入口側のフランジ連結用締結具(４３)で連結している。
また、ＤＰＦ出口側連結フランジ(９)と排気出口側連結フランジ(１１)とを重ねて、ＤＰＦ出口側のフランジ連結用締結具(５０)で連結している。
両フランジ連結用締結具(４３)(５０)はいずれもボルトナットである。
【００４６】
図８に示すように、相互に離れた複数個所の連結フランジ(８)(９)(１０)(１１)を介してエンジン本体(１)に排気処理装置(４)を支持させている。
この複数個所の連結フランジ(８)(９)(１０)(１１)は、ＤＰＦ収容ケーシング部分(５)のＤＰＦ入口側連結フランジ(８)とＤＰＦ出口側連結フランジ(９)と、排気入口側ケーシング部分(６)の排気入口側連結フランジ(１０)と排気出口側ケーシング部分(７)の排気出口側連結フランジ(１１)である。
【００４７】
図８に示すように、エンジン本体(１)に支持ステー(２)(３)を取り付け、連結フランジ(１０)(１１)に支持ブラケット(１２)を付設し、支持ブラケット(１２)を支持ステー(２)(３)上に載置している。
排気処理装置(４)の荷重を支持ブラケット(１２)を介して支持ステー(２)(３)で支え、支持ブラケット(１２)をブラケット取付用締結具(１４)で支持ステー(２)(３)に取り付けている。
【００４８】
図８に示すように、支持ステー(２)(３)を前後の支持ステー(２)(３)で構成し、この前後の支持ステー(２)(３)をエンジン本体(１)の前後側にそれぞれ取り付け、支持ブラケット(１２)を前後方向に長く形成し、この支持ブラケット(１２)を前後の支持ステー(２)(３)間に架設し、排気処理装置(４)を左右方向に長い姿勢で前後の支持ステー(２)(３)を介してエンジン本体(１)に支持させている。
【００４９】
図１(Ａ)に示すように、支持ブラケット(１２)を左右の支持ブラケット(１２ａ)(１２ｂ)で構成し、左右側の連結フランジ(８)(９)(１０)(１１)に左右の支持ブラケット(１２ａ)(１２ｂ)をそれぞれ付設している。
左右の支持ブラケット(１２ａ)(１２ｂ)の前後端部を前後の支持ステー(２)(３)上に載置して、左右のブラケット取付用締結具(１４ａ)(１４ｂ)で取り付けている。
【００５０】
図２(Ａ)に示すように、前側の支持ステー(２)は垂直なステー取付部(２ａ)の上端から水平な載置部(２ｂ)を後向きに折り曲げて形成し、後側の支持ステー(３)も垂直なステー取付部(３ａ)の上端から水平な載置部(３ｂ)を後向きに折り曲げて形成している。
図１０に示すように、前後の支持ステー(２)(３)の各ステー取付部(２ａ)(３ａ)はシリンダヘッド(１９)の前後端面に取り付けている。
図２(Ｂ)に示すように、左側の支持ブラケット(１２ａ)は水平なブラケット取付部(１２ｃ)の左縁から垂直な支持部(１２ｄ)を上向きに折り曲げて形成し、右側の支持ブラケット(１２ｂ)は水平なブラケット取付部(１２ｃ)の右縁から垂直な支持部(１２ｄ)を上向きに折り曲げて形成している。
【００５１】
図１(Ａ)(Ｃ)に示すように、前側の支持ステー(２)の載置部(２ｂ)上に左右の支持ブラケット(１２ａ)(１２ｂ)の各ブラケット取付部(１２ｃ)(１２ｃ)の前端部を載置して、この前端部をそれぞれ左右側のブラケット取付用締結具(１４ａ)(１４ｂ)で取り付けている。
図２(Ａ)(Ｂ)に示すように、後側の支持ステー(３)の載置部(３ｂ)上に左右の支持ブラケット(１２ａ)(１２ｂ)の各ブラケット取付部(１２ｃ)(１２ｃ)の後端部を載置して、この後端部をそれぞれ左右側のブラケット取付用締結具(１４ａ)(１４ｂ)で取り付けている。
ブラケット取付用締結具(１４ａ)(１４ｂ)はボルトナットである。
【００５２】
図１０に示すように、シリンダヘッド(１９)の上部に組み付けたヘッドカバー(２０)の上方で、エンジン冷却ファン(１８)の上端部(２１)よりも高い位置に排気処理装置(４)を配置している。
図９に示すように、エンジン本体(１)側のエンジン排気出口フランジ(２２)上に排気処理装置(４)の排気入口フランジ(２３)を載置している。
エンジン排気出口フランジ(２２)は、排気管(１３)の終端に上向きに形成している。排気入口フランジ(２３)は排気処理装置(４)の排気導入管(４８)の始端に下向きに形成している。
【００５３】
図１(Ａ)(Ｂ)に示すように、ブラケット付設用締結具(２５)の締結で連結フランジ(１０)(１１)に支持ブラケット(１２ａ)(１２ｂ)を付設し、連結フランジ(１０)(１１)と支持ブラケット(１２ａ)(１２ｂ)のうち、少なくとも一方にブラケット付設用締結具(２５)の位置調節孔(２６)を設け、この位置調節孔(２６)でブラケット付設用締結具(２５)の少なくとも上下方向の位置を調節することができるようにする。
図２(Ｂ)に示すように、この実施形態では、排気入口側ケーシング部分(６)の排気入口側連結フランジ(１０)と排気出口側ケーシング部分(７)の排気出口側連結フランジ(１１)に左右側の支持ブラケット(１２ａ)(１２ｂ)を付設し、支持ブラケット(１２ａ)(１２ｂ)にブラケット付設用締結具(２５)の位置調節孔(２６)を設けている。
【００５４】
図１(Ｂ)に示すように、ブラケット付設用締結具(２５)の位置調節孔(２６)を大径孔(２７)で構成し、連結フランジ(１０)(１１)と支持ブラケット(１２)のいずれか一方に大径孔(２７)を、他方に小径孔(２８)をそれぞれ設け、大径孔(２７)の内径はブラケット付設用締結具(２５)の挿通部分がその挿通方向と直交する向きに移動調節できる大きさに設定し、小径孔(２８)の内径はブラケット付設用締結具(２５)の挿通部分がその挿通方向と直交する向きに移動調節できない大きさに設定している。
エンジン本体(１)の幅方向を左右方向として、大径孔(２７)と小径孔(２８)とを左右に重ね、これらの重なった位置にブラケット付設用締結具(２５)を挿通させている。
【００５５】
図１(Ａ)(Ｃ)に示すように、支持ブラケット(１２ａ)(１２ｂ)を支持ステー(２)(３)にブラケット取付用締結具(１４ａ)(１４ｂ)で取り付け、支持ブラケット(１２ａ)(１２ｂ)と支持ステー(２)(３)の少なくとも一方にブラケット取付用締結具(１４ａ)(１４ｂ)の位置調節孔(２９)を設け、この位置調節孔(２９)でブラケット取付用締結具(１４ａ)(１４ｂ)の少なくとも前後方向と左右方向の位置を調節できるようにする。
【００５６】
図１(Ｃ)に示すように、この実施形態では、左側の支持ブラケット(１２ａ)の前端部と前側の支持ステー(２)の左側の両方に位置調節孔(２９)を設け、この位置調節孔(２９)で左側のブラケット取付用締結具(１４ａ)の前後方向と左右方向の位置を調節できるようにしている。左側の支持ブラケット(１２ａ)の後端部と後側の支持ステー(３)の左側、右側の支持ブラケット(１２ｂ)の前後端部と前後一対の支持ステー(２)(３)の右側も同様の構造となっており、これらの位置調節孔(２９)でブラケット取付用締結具(１４ａ)(１４ｂ)の前後方向と左右方向の位置を調節できるようにしている。
【００５７】
図１(Ｃ)に示すように、ブラケット取付用締結具(１４ａ)(１４ｂ)の位置調節孔(２９)を前後方向長孔(３０)と左右方向長孔(３１)とで構成し、支持ステー(２)(３)と支持ブラケット(１２ａ)(１２ｂ)のいずれか一方に前後方向長孔(３０)を、他方に左右方向長孔(３１)をそれぞれ設ける。
前後方向長孔(３０)と左右方向長孔(３１)とを交差状に上下に重ね、これらの交差位置にブラケット取付用締結具(１４ａ)(１４ｂ)を挿通させている。
図１(Ｃ)に示すように、この実施形態では、前後の支持ステー(２)(３)に前後方向長孔(３０)を設け、左右の支持ブラケット(１２ａ)(１２ｂ)に左右方向長孔(３１)を設けている。
【００５８】
図３に示すように、排気処理装置(４)にＤＰＦ(１７)を収容し、排気処理装置(４)のケーシングをＤＰＦ収容ケーシング部分(５)と排気入口側ケーシング部分(６)と排気出口側ケーシング部分(７)とで構成している。
ＤＰＦ収容ケーシング部分(５)の両端に排気入口側ケーシング部分(６)と排気出口側ケーシング部分(７)とをそれぞれ分離可能に連結させている。
【００５９】
図２(Ｂ)に示すように、排気入口側ケーシング部分(６)と排気出口側ケーシング部分(７)の連結フランジ(１０)(１１)にＤＰＦ収容ケーシング部分(５)の連結フランジ(８)(９)を重ね、排気入口側ケーシング部分(６)と排気出口側ケーシング部分(７)の連結フランジ(１０)(１１)にＤＰＦ収容ケーシング部分(５)の連結フランジ(８)(９)よりも径方向外側に突出する支持用突出部(３２)(３３)を形成し、この支持用突出部(３２)(３３)を介して排気処理装置(４)をエンジン本体(１)に支持させている。
【００６０】
図１(Ａ)に示すように、排気入口側ケーシング部分(６)と排気出口側ケーシング部分(７)とをエンジン本体(１)に支持させたまま、排気入口側ケーシング部分(６)と排気出口側ケーシング部分(７)の間からＤＰＦ収容ケーシング部分(５)を抜き取ることができるようにしている。
図４(Ｂ)(Ｃ)に示すように、環状スペーサ(３９)は排気入口側ケーシング部分(６)の排気入口側連結フランジ(１０)に取付ボルト(６９)で着脱自在に取り付け、排気入口側ケーシング部分(６)と排気出口側ケーシング部分(７)の間からＤＰＦ収容ケーシング部分(５)を抜き取る時に、環状スペーサ(３９)が脱落しないようにしてある。
【００６１】
図１(Ａ)に示すように、ＤＰＦ収容ケーシング部分(５)の連結フランジ(８)(９)に排気入口側ケーシング部分(６)と排気出口側ケーシング部分(７)の連結フランジ(１０)(１１)よりも径方向外側に突出する吊り上げ用突出部(３４)(３５)を設け、この吊り上げ用突出部(３４)(３５)にＤＰＦ収容ケーシング部分(５)の吊り上げ用係止部(３６)(３７)を設けている。
【００６２】
図２(Ａ)(Ｂ)に示すように、右側の支持ブラケット(１２ｂ)に上方が開口したフランジ嵌合凹部(３８ｂ)を設け、ＤＰＦ収容ケーシング部分(５)と排気出口側ケーシング部分(７)の重なる連結フランジ(９)(１１)の少なくとも一方の下縁部をフランジ嵌合凹部(３８ｂ)に嵌合させる。
【００６３】
図３に示すように、この実施形態では、ＤＰＦ収容ケーシング部分(５)と排気出口側ケーシング部分(７)の重なる連結フランジ(９)(１１)の両方の下縁部をフランジ嵌合凹部(３８ｂ)に嵌合させている。
図２(Ｂ)に示すように、左側の支持ブラケット(１２ａ)についても、同様のフランジ嵌合凹部(３８ａ)を設け、重なるＤＰＦ入口側ケーシング部分(６)の連結フランジ(１０)と環状スペーサ(４０)の少なくとも一方の下縁部をフランジ嵌合凹部(３８ａ)に嵌合させる。
これらのフランジ嵌合凹部(３８ａ)(３８ｂ)の内周縁は、嵌合させる多角形の連結フランジ(９)(１０)(１１)や環状スペーサ(４０)の下端の隅角部に沿う屈曲形状となっており、フランジ嵌合凹部(３８ａ)(３８ｂ)への嵌合で、排気処理装置(４)の前後方向の位置決めとともに、排気処理装置(４)の回動姿勢も決められる。
【００６４】
図３に示すように、ＤＰＦ収容ケーシング部分(５)と排気入口側ケーシング部分(６)の各連結フランジ(８)(１０)の間に環状スペーサ(３９)を挟み、環状スペーサ(３９)内にＤＰＦ入口側空間(４０)を設けている。
図４(Ｂ)に示すように、環状スペーサ(３９)にセンサ取付孔(４１)を設け、センサ取付孔(４１)からＤＰＦ入口側空間(４０)に向けて排気用のセンサ(４２)を挿入することができるようにしている。
【００６５】
この排気用のセンサ(４２)は、ＤＰＦ入口側の排気温度センサである。
図４(Ｂ)に示すように、環状スペーサ(３９)には図１(Ａ)に示す排気圧センサ(４４)のＤＰＦ入口側の排気圧導入パイプ(６５)を取り付けるパイプ取付孔(６６)をあけている。このパイプ取付孔(６６)は外側に向かって上向きとなるようにし、ＤＰＦ入口側空間(４０)内の凝縮水がＤＰＦ入口側の排気圧導入パイプ(６５)に進入しないようにしている。
【００６６】
図４(Ａ)(Ｃ)に示すように、ＤＰＦ収容ケーシング部分(５)と排気入口側ケーシング部分(６)の重なる連結フランジ(８)(１０)にその周方向に等しい離間角度で複数の被締結部(８ａ)(１０ａ)を配置している。
図４(Ｂ)に示すように、環状スペーサ(３９)にその周方向に上記離間角度で複数の被締結部(３９ａ)を配置している。
環状スペーサ(３９)の姿勢を上記離間角度単位で周方向にずらし、環状スペーサ(３９)の被締結部(３９ａ)を上記連結フランジ(８)(１０)の被締結部(８ａ)(１０ａ)に合わせて、フランジ連結用締結具(４３)で上記連結フランジ(８)(１０)の被締結部(８ａ)(１０ａ)と環状スペーサ(３９)の被締結部(３９ａ)とを共締めすることにより、環状スペーサ(３９)の周方向の姿勢を変更して、センサ取付孔(４１)の位置と姿勢とを変更することができるようにしている。
【００６７】
図６(Ｃ)に示すように、排気出口側ケーシング部分(７)の周壁に排気圧センサ(４４)の排気圧導入パイプ(４５)を取り付けるパイプ取付用ボス(４６)を設け、このパイプ取付用ボス(４６)のボス孔(４７)を外側に向かって上向きとなるようにしている。
【００６８】
図１(Ａ)に示すように、この排気圧導入パイプ(４５)はＤＰＦ出口側のもので、ＤＰＦ入口側の排気圧導入パイプ(６５)とともに排気圧センサ(４４)に連通させ、排気圧センサ(４４)でＤＰＦ(１７)の入口側と出口側の差圧を検出し、この検出値に基づいて、エンジンＥＣＵがＤＰＦ(１７)のＰＭ堆積量を推定する。ＥＣＵは、電子制御ユニットの略称である。
【００６９】
図４(Ｃ)に示すように、排気入口側ケーシング部分(６)に排気導入管(４８)を設けている。
ＤＰＦ収容ケーシング部分(５)と排気入口側ケーシング部分(６)の重なる連結フランジ(８)(１０)にその周方向に等しい離間角度で複数の被締結部(８ａ)(１０ａ)を配置している。
排気入口側ケーシング部分(６)を上記離間角度単位で周方向にずらし、ＤＰＦ収容ケーシング部分(５)の連結フランジ(８)の被締結部(８ａ)に、排気入口側ケーシング部分(６)の連結フランジ(１０)の被締結部(１０ａ)を合わせて、フランジ連結用締結具(４３)で締結することにより、排気入口側ケーシング部分(６)の周方向の姿勢を変更して、排気入口管(４８)の入口(４８ａ)の向きを変更することができるようにしている。
【００７０】
図４(Ａ)(Ｃ)に示すように、被締結部(８ａ)(１０ａ)にはフランジ連結用締結具(４３)のボルト挿通孔を設けており、フランジ連結用締結具(４３)のボルト挿通孔の離間角度は３６°にして、周方向に１０個所形成している。
図１(Ａ)に示すように、排気入口側ケーシング部分(６)の周壁には排気用のセンサのセンサ取付孔(６７)を設け、このセンサ取付孔(６７)にＤＯＣ上流側の排気の温度を検出する排気温度センサを取り付けることができるようにしている。
【００７１】
図５(Ａ)(Ｂ)に示すように、排気出口側ケーシング部分(７)に排気出口管(４９)を設け、排気出口側ケーシング部分(７)とＤＰＦ収容ケーシング部分(５)の重なる連結フランジ(１１)(９)にその周方向に等しい離間角度で複数の被締結部(１１ａ)(９ａ)を配置している。
排気出口側ケーシング部分(７)を上記離間角度単位で周方向にずらし、ＤＰＦ収容ケーシング部分(５)の連結フランジ(９)の被締結部(９ａ)に、排気出口側ケーシング部分(７)の連結フランジ(１１)の被締結部(１１ａ)を合わせて、フランジ連結用締結具(５０)で締結することにより、排気出口側ケーシング部分(７)の周方向の姿勢を変更して、排気出口管(４９)の出口(４９ａ)の向きを変更することができるようにしている。
【００７２】
図５(Ａ)(Ｂ)に示すように、被締結部(１１ａ)(９ａ)にはフランジ連結用締結具(５０)のボルト挿通孔を設けており、フランジ連結用締結具(５０)のボルト挿通孔の離間角度は３６°にして、周方向に１０個所形成している。
図１(Ａ)に示すように、排気出口側ケーシング部分(７)の周壁には排気用のセンサのセンサ取付孔(６８)を設け、このセンサ取付孔(６８)にＤＰＦ下流側の排気の温度を検出する排気温度センサを取り付けることができるようにしている。
【００７３】
図１４〜図２７に示す第１・第２参考形態は、トラクタ用に特化された排気処理装置付きディーゼルエンジンで、次のようなトラクタ車体に搭載する。
図２０に示すように、トラクタ車体(１０２)はエンジン本体(１)、クラッチハウジング、ミッションケース、前車軸フレーム(１０５)等を直結して構成され、エンジン本体(１)をはじめ、その周辺に付設される各種機器類やエンジン補機等を含めて全体的に取り囲むようにしたボンネット(１０７)が設けられている。このボンネット(１０７)の天板部(１０７ａ)は後部が最も高く前部にかけて前下がり形状になっている。即ち、天板部(１０７ａ)は前部から後部にかけて尻上がりに傾斜状に配置されている。
【００７４】
また、図２０に示すように、エンジン本体(１)より後方のトラクタ車体(１０２)上には、キャビン(１０８)が設けられ、キャビン(１０８)内にハンドル及び運転席を配置した操縦室が形成されている。
エンジン本体(１)はクランク軸中心軸線(１６)が前後方向を向くように配置され、前車軸フレーム(１０５)上には、エンジン本体(１)の前方にエンジン冷却ファン(１８)、ラジエータ(１１２)、バッテリ(１１３)等が配置されている。
【００７５】
図２０に示すように、ラジエータ(１１２)に筒状のシュラウド(１１５)が後方突出状に設けられ、シュラウド(１１５)内にエンジン冷却ファン(１８)の前部側が配置されている。また、バッテリ(１１３)の上部にはエアクリーナ(１１６)が配置されている。このエアクリーナ(１１６)から導出された浄気吸入管(１１８)が図１８に示すエンジン本体(１)の吸気マニホルド(５６)に連通接続されている。
【００７６】
図１４〜図２０に示す第１参考形態の構成は、次の通りである。
ＥＧＲ装置は、図１５に示すように、ＥＧＲガス導出通路(１３３)にＥＧＲクーラ(６０)とＥＧＲガス導出管(１３５)とが設けられ、ＥＧＲガス導出管(１３５)の下流にＥＧＲ弁ケース(５９)が配置され、図１８に示すように、吸気マニホルド(５６)からＥＧＲガス入口管(１３７)が導出されている。
図１５に示すように、排気マニホルド(５５)に取り付けた過給機(６２)にフランジを介して排気処理装置(４)が連結されている。この排気処理装置(４)はＤＰＦマフラであるが、従来のマフラに比べ外形及び重量が大きく、重量は従来のマフラの４〜６倍の２０〜３０kgである。
【００７７】
図１５に示すように、ボンネット(１０７)で覆うエンジン本体(１)の後部上方に前記排気処理装置(４)がその長手方向を左右に向けて配置されており、ボンネットの(１０７)の天板部(１０７ａ)とエンジン本体(１)との間の上下方向の隙間が最も大きいスペースに排気処理装置(４)が配置されている。
図１６に示すように、排気処理装置(４)のケーシングは、第１実施形態と同様、ＤＰＦ収容ケーシング部分(５)と左側の排気入口側ケーシング部分(６)と右側の排気出口側ケーシリング部分(７)とに三分割されていて、中央のＤＰＦ収容ケーシング部分(５)に左右のケーシング部分(６)(７)をフランジ結合する連結フランジ(８)(９)が形成され、これに対応して左右ケーシング部分(６)(７)の左右内端部に連結フランジ(１０)(１１)が形成され、中央のＤＰＦ収容ケーシング部分(５)に対して左右のケーシング部分(６)(７)が連結フランジ(８)(１０)及び連結フランジ(９)(１１)により結合されている。
【００７８】
図１９に示すように、左側の排気入口側ケーシング部分(６)から排気導入管(４８)が下方に突設され、排気導入管(４８)が過給機(３９)を介してエンジン本体(１)の排気マニホルド(５５)に接続され、右側の排気出口側ケーシング部分(７)から排気出口管(４９)が下向きに導出され、この排気出口管(４９)が排気パイプ(１５０)と連結され、排気パイプ(１５０)に図１４及び図１７に示す縦向きパイプ(１４９)が連結され、この縦向きパイプ(１４９)はエンジン本体(１)の後部側方に配置されている。図１６に示すように、排気処理装置(４)のケーシング内にＤＰＦ(１７)等のマフラエレメント(１５１)が収納されている。
【００７９】
ここで、エンジン本体(１)と排気処理装置(４)との大きさを比較すると、エンジン本体(１)が３８００ＣＣの場合、図１５に示すように、例えばエンジン本体(１)の前後幅Ｌ１が６００ｍｍ、フライホイールハウジング(５１)を含むエンジン本体(１)の前後幅Ｌ２が７３８ｍｍ、エンジン本体(１)の高さＨが８２６ｍｍになるのに対して、図１５に示すように、排気処理装置(４)の直径Ｒ１が３００ｍｍ、図１６に示すように排気処理装置(４)の連結フランジ(９)(１１)の直径Ｒ２が３４０ｍｍ、排気処理装置(４)の左右幅Ｗが５６０ｍｍになり、排気処理装置(４)の直径Ｒ１がエンジン本体(１)の高さＨの１／３程度になっている。
【００８０】
図１４に示すように、 排気処理装置(４)の左右方向中途部の下部側に前後方向に長い単一の支持ブラケット(１２)が設けられている。排気処理装置(４)は支持ブラケット(１２)の後部側に位置している。支持ブラケット(１２)の前後部がエンジン本体(１)の前後部に取り付られた前後の支持ステー(２)(３)に着脱自在に連結されている。中央のＤＰＦ収容ケース(５)の左右の連結フランジ(８)(９)に支持ステー(１２)がコの字状に形成された左右の取付部材(１５５)(１５６)を介して付設されている。
【００８１】
図１９に示すように、左右の取付部材(１５５)(１５６)は水平状の底壁部(１５５ａ)(１５６ａ)と底壁部(１５５ａ)(１５６ａ)の左右方向外端から立ち上がった固定壁部(１５５ｂ)(１５６ｂ)と底板部(１５５ａ)(１５６ａ)の左右方向内端から立ち上がった取付壁部(１５５ｃ)(１５６ｃ)とを有している。
【００８２】
図１９に示すように、左右の取付部材(１５５)(１５６)の固定壁部(１５５ｂ)(１５６ｂ)が中央にあるＤＰＦ収容ケーシング部分(５)の左右の連結フランジ(８)(９)の下部にそれぞれ重合されて、ブラケット付設用締結具(２５)(２５)で締結固定されている。一対の取付部材(１５５)(１５６)の取付壁部(１５５ｃ)(１５６ｃ)は支持ブラケット(１２)の支持部(１２ｄ)を左右両側から挟んで、ブラケット付設用締結具(２５)で締め付け固定され、これにより支持ブラケット(１２)が取付部材(１５５)(１５６)を介して中央にあるＤＰＦ収容ケーシング部分(５)の左右の連結フランジ(８)(９)に付設されている。
左右の連結フランジ(８)(９)に左右の取付部材(１５５)(１５６)を固定するブラケット付設用締結具(２５)(２５)はフランジ連結用締結具(４３)(５０)を兼用している。
図１５，１８に示すように、フランジ連結用締結具(４３)(５０)で締結する連結フランジ(１０)(１１)等の被締結部(１０ａ)(１１ａ)は連結フランジ(１０)(１１)の周方向に６０°の離間角度でそれぞれ６個所に配置されている。
【００８３】
図１９に示すように、左右の取付部材(１５５)(１５６)の底板部(１５５ａ)(１５６ａ)と固定壁部(１５５ｂ)(１５６ｂ)と取付壁部(１５５ｃ)(１５６ｃ)とはそれぞれ連結板(１５９)(１６０)により連結されている。
図１４に示すように、エンジン本体(１)の前部に取り付けられた前側の支持ステー(２)は、左右一対の支持脚体(１６３)(１６４)と一対の支持脚体(１６３)(１６４)の上端部間を連結する水平状の載置部(２ｂ)とを有している。
左側の支持脚体(１６３)の下部はエンジン本体(１)前部のシリンダヘッド(１９)の左側面等に固定され、右側の支持脚体(１６４)の下部はエンジン本体(１)前部の右上部に固定されている。
図１５に示すように、後側の支持ステー(３)は上下に長い帯板のステー取付部(３ａ)下部がエンジン本体(１)の背面に固定され上部にＬ字状に前方屈曲した載置部(３ｂ)が形成されている。
【００８４】
上記第１参考形態によれば、図１５に示すように、ボンネット(１０７)内に排気処理装置(４)を取り付ける場合、排気処理装置(４)の左右方向中途部の下部側に前後方向に長い支持ブラケット(１２)を予め付設しておくと共に、エンジン本体(１)の前後部に前後側の支持ステー(２)(３)を予め取り付けておき、支持ブラケット(１２)の前部を前側の支持ステー(２)の載置部(２ｂ)に載置し、支持ブラケット(１２)の後部を後側の支持ステー(３)の載置部(３ｂ)上に載置した後、支持ブラケット(１２)の前後部をボルト等のブラケット取付用締結具(１４)で載置部(２ｂ)(３ｂ)に固定すればよく、排気処理装置(４)の外形が大きく重量が重いものであっても、簡単に排気処理装置(４)をエンジン本体(１)に取り付けることができる。
【００８５】
また、排気処理装置(４)の取付後には、排気処理装置(４)の重量を支える支持ブラケット(１２)の前後部がエンジン本体(１)の前後部に取り付けられた前後の支持ステー(２)(３)に着脱自在に連結されるので、排気処理装置(４)の外形が大きく重量が重いものになっても、排気処理装置(４)の自重とトラクタ車体(１０２)の振動に十分耐えることができるし、支持ブラケット(１２)の変形破損が発生することを防ぐことができる。また、排気処理装置(４)がその長手方向を左右に向けて配置されるので、排気処理装置(４)がその長手方向を前後に向けて配置される場合に比べて空きスペースを多く確保できるし、縦向きパイプ(１４９)がエンジン本体(１)の後部側方に配置されているので、排気処理装置(４)の前部から縦向きパイプ(１４９)までの前後距離を短くでき、エンジン本体(１)上方のスペースを効率良く使える。
【００８６】
また、図１９に示すように、中央にあるＤＰＦ収容ケーシング部分(５)に左右のケーシング部分(６)(７)をフランジ結合する連結フランジ(８)(９)が形成され、中央のケーシング部分(５)の左右の連結フランジ(８)(９)の両方に取付部材(１５５)(１５６)を介して支持ブラケット(１２)が取り付けられているので、左右の連結フランジ(８)(９)と支持ブラケット(１２)との連結が容易になり、中央のケーシング部分(５)の連結フランジ(８)(９)を利用して支持ブラケット(１２)を排気処理装置(４)の中途部に強固に固設することができ、支持ブラケット(１２)の変形破損が発生することを防ぐことができる。
【００８７】
さらに、図１５に示すように、ボンネット(１０７)は天板部(１０７ａ)が前下がり状に形成され、ボンネット(１０７)の後部とエンジン本体(１)との間の最も隙間の大きな位置に排気処理装置(４)が左右向きに配置されているので、小さいスペースに大径の排気処理装置(４)が配置可能になるし、トラクタ車体(１０２)の前後重量バランスも良好となる。
第１参考形態の他の構成や機能は、第１実施形態と同じであり、図１４〜図２０中、第１実施形態と同一の要素には、図１〜図１３と同一の符号を付しておく。
【００８８】
図２１〜図２７は第２参考形態を示し、中央にあるケーシング部分(５)の左右の各連結フランジ(８)(９)に対応して左右一対の支持ブラケット(１２ａ)(１２ｂ)が設けられ、左右一対の支持ブラケット(１２ａ)(１２ｂ)の前部が前側の支持ステー(２)の上部に着脱自在に連結され、左右一対の支持ブラケット(１２ａ)(１２ｂ)の後部が後側の支持ステー(３)上部に着脱自在に連結されている。
【００８９】
図２６に示すように、左側の支持ブラケット(１２ａ)の支持部(１２ｄ)が中央にあるＤＰＦケーシング部分(５)の左側の連結フランジ(８)の下部に重合されて、ブラケット付設用締結具(２５)(２５)で締結固定されている。右側の支持ブラケット(１２ｂ)の支持部(１２ｄ)が中央にあるＤＰＦケーシング部分(５)の右側の連結フランジ(９)の下部に重合されて、ブラケット付設用締結具(２５)(２５)で締結固定されている。
左右の連結フランジ(８)(９)に左右の支持ブラケット(１２ａ)(１２ｂ)を付設するブラケット付設用締結具(２５)(２５)はフランジ連結用締結具(４３)(５０)を兼用している。
図２２，２５に示すように、フランジ連結用締結具(４３)(５０)で締結する連結フランジ(１０)(１１)等の被締結部(１０ａ)(１１ａ)は連結フランジ(１０)(１１)の周方向に４５°の離間角度でそれぞれ８個所に配置されている。
前側の支持ステー(２)の背面側が補強板(７６)で補強されている。
後側の支持ステー(３)は取付部(３ａ)と載置部(３ｂ)とが補強板(８０)により連結されている。
【００９０】
上記第２参考形態によれば、前記第１参考形態の場合と同様に、排気処理装置(４)が外形が大きく重量の重いものになっても、排気処理装置(４)の自重とトラクタ車体(１０２)の振動に耐えることができるし、排気処理装置(４)に設けた一対の支持ブラケット(１２ａ)(１２ｂ)をエンジン本体(１)の前後部に取り付けた前後の支持ステー(２)(３)に着脱自在に連結すればよく、排気処理装置(４)をエンジン本体(１)に容易に取り付けることができる。
【００９１】
しかも、上記第２参考形態の場合、中央にあるケーシング部分(５)の左右の各連結フランジ(８)(９)に対応して左右一対の支持ブラケット(１２ａ)(１２ｂ)が設けられ、左右一対の支持ブラケット(１２ａ)(１２ｂ)の前部が前側の支持ステー(２)の上部に着脱自在に連結され、左右一対の支持ブラケット(１２ａ)(１２ｂ)の後部が後側の支持ステー(３)の上部に着脱自在に連結されているので左右一対の支持ブラケット(１２ａ)(１２ｂ)を使用することにより、中央にあるケーシング部分(５)の左右の連結フランジ(８)(９)をうまく利用して、左右一対の支持ブラケット(１２ａ)(１２ｂ)を介して排気処理装置(４)を容易かつ強固に取り付けることができる。
【００９２】
図２７は支持ブラケットの変形例を示しており、支持ブラケット(１２ａ)(１２ｂ)の支持部(１２ｄ)を支持部材本体(８１)と中央にあるケーシング部分(５)の左右の連結フランジ(８)(９)に固定される固定板体(８２)とに分割し、支持部材本体(８１)と固定板体(８２)とをボルト等の固定具で着脱自在に固定するようにしたものである。この変形例の場合、支持部材本体(８１)と固定板体(８２)とを脱着することによっても、排気処理装置(４)をエンジン本体(１)から取り外すことができ、排気処理装置(４)の定期点検を容易になし得る。
第２参考形態の他の構成や機能は、第１実施形態、第１参考形態と同じであり、図２１〜図２７中、第１実施形態、第１参考形態と同一の要素には、図１〜図２０と同一の符号を付しておく。
【００９３】
前記図１４〜図２０に示す第１参考形態では、単一の支持ブラケット(１２)を一対の取付部材(１５５)(１５６)を介して排気処理装置(４)の中央にあるケーシング部分(５)の左右の連結フランジ(８)(９)に取り付けており、また、前記図２１〜図２６の第２参考形態では、左右の支持ブラケット(１２ａ)(１２ｂ)を排気処理装置(４)の中央のケーシング部分(５)の左右の連結フランジ(８)(９)にそれぞれ設けているが、これらに代え、支持ブラケット(１２)(１２ａ)(１２ｂ)を排気処理装置(４)の中央のケーシング部分(５)の左右の連結フランジ(８)(９)の一方のみに設けるようにしてもよい。
【００９４】
図２８〜図３０に示す第２実施形態の構成は、次の通りである。
図２８，図２９に示すように、排気処理装置(３)を左右方向に長い姿勢にし、シリンダヘッド(１９)の上部に組み付けたヘッドカバー(２０)の真後で、フライホイールハウジング(５１)の後上方に、排気処理装置(３)のＤＰＦ収容ケーシング部分(５)を配置している。
【００９５】
エンジン本体(１)の後部に左右一対の支持ステー(７１)(７２)を取り付け、この左右一対の支持ステー(７１)(７２)に左右の支持ブラケットを介することなく、排気入口側ケーシング部分(６)の連結フランジ(１０)と排気出口側ケーシング部分(７)の連結フランジ(１１)の支持用突出部(３２)(３３)を、フランジ取付用締結具(７３)で取り付けている。これらのフランジ取付用締結具(７３)は、ブラケット付設用締結具(２５)の位置調節用孔(２６)と同様の位置調節孔に挿通され、上下方向と前後方向の位置調節が可能となっている。また、左右一対のステーにフランジ嵌合凹部(３８ａ)(３８ｂ)と同様なフランジ嵌合部(７４)を設け、連結フランジ(１１)等の下縁部を嵌合させている。
この第２実施形態では、第１実施形態と同様、排気処理装置(４)にＤＰＦ(１７)を収容し、エンジン本体(１)の前部にエンジン冷却ファン(２１)を配置している。
第２実施形態の他の構成や機能は、第１実施形態と同じであり、図２８〜図３０中、第１実施形態と同一の要素には、図１〜図１３と同一の符号を付しておく。
【符号の説明】
【００９６】
(１) エンジン本体
(２) 前側の支持ステー
(３) 後側の支持ステー
(４) 排気処理装置
(５) ＤＰＦ収容ケーシング部分
(６) 排気入口側ケーシング部分
(７) 排気出口側ケーシング部分
(８) ＤＰＦ入口側連結フランジ
(８ａ) 被締結部
(９) ＤＰＦ出口側連結フランジ
(９ａ) 被締結部
(１０) 排気入口側連結フランジ
(１０ａ) 被締結部
(１１) 排気出口側連結フランジ
(１１ａ) 被締結部
(１２) 支持ブラケット
(１２ａ) 左側の支持ブラケット
(１２ｂ) 右側の支持ブラケット
(１３) 排気管
【００９７】
(１４) ブラケット取付用締結具
(１４ａ) 左側のブラケット取付用締結具
(１４ｂ) 右側のブラケット取付用締結具
(１６) クランク軸中心軸線
(１７) ＤＰＦ
(１８) エンジン冷却ファン
(１９) シリンダヘッド
(２０) ヘッドカバー
(２１) エンジン冷却ファンの上端部
(２２) エンジン排気出口フランジ
(２３) 排気入口フランジ
(２４) 排気フランジ締結具
(２５) ブラケット付設用締結具
(２６) 位置調節孔
(２７) 大径孔
(２８) 小径孔
(２９) 位置調節孔
(３０) 前後方向長孔
(３１) 左右方向長孔
【００９８】
(３２) 排気入口側の支持用突出部
(３３) 排気出口側の支持用突出部
(３４) ＤＰＦ入口側の吊り上げ用突出部
(３５) ＤＰＦ出口側の吊り上げ用突出部
(３６) ＤＰＦ入口側の吊り上げ用係止部
(３７) ＤＰＦ出口側の吊り上げ用係止部
(３８ａ) 左側のフランジ嵌合凹部
(３８ｂ) 右側のフランジ嵌合凹部
(３９) 環状スペーサ
(３９ａ) 被締結部
(４０) ＤＰＦ入口側空間
(４１) センサ取付孔
(４２) 排気用のセンサ
(４３) ＤＰＦ入口側のフランジ連結用締結具
(４４) 排気圧センサ
(４５) 排気圧導入パイプ
(４６) パイプ取付用ボス
(４７) ボス孔
(４８) 排気導入管
(４８ａ) 入口
(４９) 排気出口管
(４９ａ) 出口
(５０) ＤＰＦ出口側のフランジ連結用締結具
(５１) フライホイールハウジング
【図１】
0005616194.tif 000002
【図２】
0005616194.tif 000003
【図３】
0005616194.tif 000004
【図４】
0005616194.tif 000005
【図５】
0005616194.tif 000006
【図６】
0005616194.tif 000007
【図７】
0005616194.tif 000008
【図８】
0005616194.tif 000009
【図９】
0005616194.tif 000010
【図１０】
0005616194.tif 000011
【図１１】
0005616194.tif 000012
【図１２】
0005616194.tif 000013
【図１３】
0005616194.tif 000014
【図１４】
0005616194.tif 000015
【図１５】
0005616194.tif 000016
【図１６】
0005616194.tif 000017
【図１７】
0005616194.tif 000018
【図１８】
0005616194.tif 000019
【図１９】
0005616194.tif 000020
【図２０】
0005616194.tif 000021
【図２１】
0005616194.tif 000022
【図２２】
0005616194.tif 000023
【図２３】
0005616194.tif 000024
【図２４】
0005616194.tif 000025
【図２５】
0005616194.tif 000026
【図２６】
0005616194.tif 000027
【図２７】
0005616194.tif 000028
【図２８】
0005616194.tif 000029
【図２９】
0005616194.tif 000030
【図３０】
0005616194.tif 000031